(57)【要約】【課題】非接触型ＩＣカード部に対するアクセスの内容を認識させる。【解決手段】ＣＰＵ８が、ＩＣカードアクセス表示プログラム１５に従って、ＩＣカード部１０の記憶部２５内に記憶されている情報に対するリーダ／ライタ装置１６からのアクセス要求に応じて、アクセス要求された情報の属性に応じたパターンでＬＥＤ表示部３を発光制御する。このような構成によれば、ユーザは、ＬＥＤ表示部３の発光パターンを参照して、アクセス内容を認識することができる。【選択図】  図１
2004341691.tif 000002
【特許請求の範囲】
【請求項１】
リーダ／ライタ装置との間で情報通信処理を行う非接触型ＩＣカード部を備える携帯端末であって、
上記非接触型ＩＣカード部内に記憶されている情報に対する上記リーダ／ライタ装置からのアクセス要求に応じて、アクセス要求された情報の属性に応じた応答を生成する応答生成部を備えることを特徴とする携帯端末。
【請求項２】
請求項１に記載の携帯端末であって、
上記応答生成部は、アクセス要求された情報の属性が機密情報である時に応答を生成することを特徴とする携帯端末。
【請求項３】
請求項１に記載の携帯端末であって、
上記応答生成部は、光，振動，音声，及び情報表示のうちの少なくとも一つを利用して上記応答を生成することを特徴とする携帯端末。
【発明の詳細な説明】
【０００１】
【発明の属する技術分野】
本発明は、非接触型ＩＣカード機能を備える携帯端末に関し、より詳しくは、非接触型ＩＣカードに対するアクセスが発生した際、そのアクセスの内容に応じた応答を生成することにより、ユーザが非接触型ＩＣカードに対するアクセスの内容を認識することを可能にする技術に係わる。
【０００２】
【従来の技術】
近年、店舗のレジや駅の改札口等の様々な場所において、非接触型ＩＣ（Ｉｎｔｅｇｒａｔｅｄ  Ｃｉｒｃｕｉｔ）カードとの間で情報通信処理を行うことが可能なリーダ／ライタ装置が設置され、非接触型ＩＣカードをリーダ／ライタ装置に近づけるだけで、認証処理や課金処理等の様々な処理を簡単に済ませることができるようになっている。また最近では、携帯電話機やＰＤＡ（Ｐｅｒｓｏｎａｌ  Ｄｉｇｉｔａｌ  Ａｓｓｉｓｔａｎｔ）等の携帯端末に非接触型ＩＣカード機能を付加することにより、非接触型ＩＣカードを気軽に携帯することが可能な環境が整いつつある（例えば、特許文献１を参照）。
【０００３】
【特許文献１】
特開２００２−２４５４２４号公報
【０００４】
【発明が解決しようとする課題】
しかしながら、従来までの非接触型ＩＣカード機能を備える携帯端末によれば、リーダ／ライタ装置が非接触型ＩＣカードにアクセスした際、ユーザはそのアクセスの内容を認識することができない。このため、従来までの携帯端末では、非接触型ＩＣカード内に記憶されている電子マネーや個人情報等の機密情報に対しリーダ／ライタ装置が不正にアクセスした場合であっても、ユーザはその不正アクセスを即座に認識することができない。
【０００５】
本発明は、上記課題を解決するためになされたものであり、その目的は、非接触型ＩＣカードに対するアクセスの内容を認識することが可能な携帯端末を提供することにある。
【０００６】
【課題を解決するための手段】
本発明に係る携帯端末の特徴は、非接触型ＩＣカード部内に記憶されている情報に対するリーダ／ライタ装置からのアクセス要求に応じて、アクセス要求された情報の属性に応じた応答を生成する応答生成部を備えることにある。すなわち、本発明に係る携帯端末は、リーダ／ライタ装置によってアクセスされた情報の属性に応じて応答を生成するので、ユーザは、生成された応答を参照して、リーダ／ライタ装置によるアクセスの内容を簡単に認識することができる。
【０００７】
【発明の実施の形態】
本発明は、例えば図１に示すような、非接触型ＩＣカード機能を備える携帯電話機に適用することができる。以下、図面を参照して、本発明の一実施形態となる携帯電話機の構成及び動作について詳しく説明する。
【０００８】
〔携帯電話機の構成〕
本発明の一実施形態となる携帯電話機１は、図１に示すように、ＬＣＤ（Ｌｉｑｕｉｄ  Ｃｒｙｓｔａｌ  Ｄｉｓｐｌａｙ）表示部２，ＬＥＤ（Ｌｉｇｈｔ  Ｅｍｉｓｓｉｏｎ  Ｄｉｏｄｅ）表示部３，バイブレータ４，操作入力部５，スピーカ６，メモリ７，ＣＰＵ（Ｃｅｎｔｒａｌ  Ｐｒｏｃｅｓｓｉｎｇ  Ｕｎｉｔ）８，ＩＣカードインタフェイス部９，ＩＣカード部１０，及び通信処理部１１を主な構成要素として備える。
【０００９】
上記ＬＣＤ表示部２は、ＣＰＵ８の制御に従って、文字，数字，記号，アイコン，カーソル，画像，動画像等の各種情報を可視表示する。上記ＬＥＤ表示部３は、ＣＰＵ８の制御に従って、複数の発光パターンで発光する。上記バイブレータ４は、回転軸に偏心重りを取り付けた小型モータにより構成され、ＣＰＵ８の制御に従って携帯電話機１を振動させる。
【００１０】
上記操作入力部５は、「０」から「９」までの数字の入力，文字の入力，記号の入力，発信や受信の指示入力，電源のオン／オフの指示入力等の操作時に使用される複数のキーボタンを有する。また、操作入力部５は、ＬＣＤ表示部２により表示されたカーソルの移動操作や画面のスクロール操作等の操作時に使用されるダイアル（ジョグダイアル）を有する。上記スピーカ６は、一般的な音声出力装置により構成され、ＣＰＵ８の制御に従って音声信号を出力する。
【００１１】
上記メモリ７は、読み書き可能な記憶素子により構成され、携帯電話機１のオペレーションシステム（ＯＳ）プログラム１２，ＩＣカード部１０を駆動制御するＩＣカードドライバ１３，Ｊａｖａ（登録商標）バイトコードを携帯電話機１のネイティブコードに変換して実行するＪａｖａ（登録商標）仮想マシン（ＶＭ）１４，後述する応答生成処理を実現するＩＣカードアクセス表示プログラム１５等の各種コンピュータプログラムを記憶する。また、メモリ７は、電話着信時のＬＥＤ表示部３，バイブレータ４，及びスピーカ６の発光，振動，発音（メロディ）パターン等、携帯電話機１の各種設定値を記憶する。なお、メモリ７に記憶するコンピュータプログラムやデータの一部若しくは全部はインターネット等の電気通信回線を介してダウンロードされる構成にしてもよい。
【００１２】
上記ＣＰＵ８は、演算処理装置により構成され、メモリ７内に記憶されたコンピュータプログラムやデータに従ってＬＣＤ表示部２，ＬＥＤ表示部３，バイブレータ４，操作入力部５，スピーカ６，ＩＣカードインタフェイス部９，ＩＣカード部１０，及び通信処理部１１の動作を制御する。なお、ＣＰＵ８は、ＩＣカードアクセス表示プログラム１５に従って後述する応答生成処理を実行することにより、応答生成部として機能する。
【００１３】
上記ＩＣカードインタフェイス部９は、ＣＰＵ８とＩＣカード部１０との間の通信処理を制御する。上記ＩＣカード部１０は、リーダ／ライタ装置１６から送信されるコマンドに従って動作する非接触型ＩＣカードにより構成され、リーダ／ライタ装置１６と通信することにより各種サービスに対応する処理を実行する。
【００１４】
上記通信処理部１１は、ＴＣＰ（Ｔｒａｎｓｍｉｓｓｉｏｎ  Ｃｏｎｔｒｏｌ  Ｐｒｏｔｏｃｏｌ）／ＩＰ（Ｉｎｔｅｒｎｅｔ  Ｐｒｏｔｏｃｏｌ）やＨＴＴＰ（Ｈｙｐｅｒ  Ｔｅｘｔ  Ｔｒａｎｓｆｅｒ  Ｐｒｏｔｏｃｏｌ）等の各種通信用プロトコルを実装し、電話の着信処理や発信処理，電子メールの送受信処理，ウェブ閲覧処理等、携帯電話機１の一般的な通信機能を実現する。
【００１５】
〔ＩＣカード部の構成〕
上記ＩＣカード部１０は、図１に示すように、アンテナ２１，整流部２２，復調部２３，制御部２４，記憶部２５，及び変調部２６を主な構成要素として備える。
【００１６】
上記整流部２２は、アンテナ２１に誘起された交流電圧を直流電圧に整流し、ＩＣカード部１０内の構成要素が動作するための電力を生成する。上記復調部２３は、リーダ／ライタ装置１６から送信されたキャリア信号の中からデータ信号を分離，出力する。
【００１７】
上記制御部２４は、リーダ／ライタ装置１６から送信されたコマンドに従って各種サービスに対応する処理を実行する。具体的には、制御部２４は、復調部２３から出力されたデータ信号を解析することにより、データ信号の中からコマンドやデータを抽出する。そして、制御部２４は、抽出したコマンドの内容に従って、記憶部２５内にデータを記憶したり、記憶部２５内からデータを読み出す等、各種処理を実行する。また、上記制御部２４は、リーダ／ライタ装置１６が記憶部２５内の情報にアクセスした際、そのアクセスする情報のコードを一時記憶領域（図示せず）に書き込むと同時に、ＩＣカードインタフェイス部９を介して、リーダ／ライタ装置１６によるアクセスがあったことを示す割り込み信号をＣＰＵ８に入力する。なお、ここでいう「アクセス」とは、情報の読み出し，書き込み（変更），削除等の処理を意味する。
【００１８】
上記記憶部２５は、図２に示すように、各種サービスに対応する複数の情報（サービス）の属性（ＡＴＴＲ）及びコード（ＳＥＲＶＩＣＥ  ＣＯＤＥ）を規定するファイルシステム部２７と、ファイルシステム部２７内に規定された情報のデータ（ＳＥＲＶＩＣＥ  ＤＡＴＡ）を記憶するデータ部２８を備え、コードを指定することにより、データ部２８内のデータにアクセスすることができるように構成されている。ここで、「属性（ＡＴＴＲ）」とは、読み取り／書込みが可能な一般情報，読み取りのみが可能な情報（ＲＥＡＤＯＮＬＹ），所定の鍵情報が入力されるのに応じて読み取り／書込みが可能となる機密情報（ＳＥＣＵＲＩＴＹ）等、情報へのアクセス形態を規定するパラメータである。なお、上記機密情報としては、例えば、電子マネー情報（ＤＥＣＲＥＭＥＮＴ等），ポイント情報（ＣＡＳＨＢＡＣＫ等），個人情報等の情報が含まれる。
【００１９】
上記変調部２６は、制御部２４から出力される送信データに従ってキャリア信号を振幅変調し、送信データが重畳されたキャリア信号をアンテナ２１を介してリーダ／ライタ装置１６に送信する。
【００２０】
〔リーダ／ライタ装置の構成〕
上記リーダ／ライタ装置１６は、ＩＣカード部１０に対する、電力供給処理とコマンドやデータの読み書き処理とを制御するマスタデバイスであり、駅の改札口，店舗のレジ，電子マネーの入出金機等の装置内に設けられる。この実施形態では、リーダ／ライタ装置１６は、図１に示すように、発振器３１，制御部３２，変調部３３，復調部３４，及びアンテナ３５を主な構成要素として備える。
【００２１】
上記発振器３１は、所定周波数のキャリア信号を発振出力する。上記制御部３２は、リーダ／ライタ装置１６の構成要素の動作を制御すると共に、ＩＣカード部１０の動作を制御するための送受信データを管理する。上記変調部３３は、制御部３２から出力される送信データに従ってキャリア信号を振幅変調し、送信データが重畳されたキャリア信号をアンテナ３５を介して送信する。
【００２２】
上記復調部３４は、アンテナ３５を介して受信したキャリア信号の電圧変動を分離、出力することにより、ＩＣカード部１０から送信された返信データを復調する。上記アンテナ３５は、変調部３３と復調部３４に接続され、ＩＣカード部１０側のアンテナ２１と電磁的に結合することにより、アンテナ２１との間で通信処理を行う。
【００２３】
〔携帯電話機の動作〕
上記携帯電話機１は、リーダ／ライタ装置１６から記憶部２５の情報に対するアクセス要求を受信するのに応じて、アクセス要求を受けた情報の属性に応じた応答を生成する（以下、この処理を応答生成処理と表記する）。以下、図３に示すフローチャートを参照して、この応答生成処理を実行する際の携帯電話機１の動作を詳しく説明する。
【００２４】
図３に示すフローチャートは、ＩＣカード部１０が、アクセスする情報のコードとアクセス要求コマンドを示す信号をリーダ／ライタ装置１６から受信するのに応じて開始となり、この応答生成処理はステップＳ１の処理に進む。
【００２５】
ステップＳ１の処理では、制御部２４が、リーダ／ライタ装置１６がアクセス要求した情報のコードを一時記憶領域内に書き込むと共に、ＩＣカードインタフェイス部９を介してＣＰＵ８に割り込み信号を入力する。これにより、このステップＳ１の処理は完了し、この応答生成処理はステップＳ１の処理からステップＳ２の処理に進む。
【００２６】
ステップＳ２の処理では、ＣＰＵ８が、ＩＣカードアクセス表示プログラム１５に従って、一時記憶領域内に書き込まれたコードを参照して、リーダ／ライタ装置１６がアクセス要求した情報の属性（ＡＴＴＲ）を読み出す。これにより、このステップＳ２の処理は完了し、この応答生成処理はステップＳ２の処理からステップＳ３の処理に進む。
【００２７】
ステップＳ３の処理では、ＣＰＵ８が、ＩＣカードアクセス表示プログラム１５に従って、アクセス要求した情報の属性（ＡＴＴＲ）に対応する発光パターンを決定し、決定した発光パターンで発光するようにＬＥＤ表示部３を制御する。これにより、このステップＳ３の処理は完了し、一連の応答生成処理は完了する。以後、制御部２４は、受信したコードに対応する情報のデータをアクセス要求コマンドが示す内容に従って処理する。
【００２８】
なお、上記応答生成処理によれば、制御部２４は、リーダ／ライタ装置１６からアクセス要求を受信した場合は常に割り込み信号をＣＰＵ８に入力することになるが、例えばリーダ／ライタ装置１６がアクセスした情報の属性が機密情報である場合等、所定の条件が満たされた時のみ割り込み信号を入力するようにしてもよい。このような処理によれば、制御部２４は、一時記憶領域内に情報のコードを書き込む必要がなくなり、また、ＣＰＵ８は、一時記憶領域内に書き込んだ情報を参照せずにＬＥＤ表示部３を発光制御することができるようになるので、応答生成処理に要する携帯電話機１の負荷が減り、応答をより速く生成することができる。また、ユーザは、ＬＥＤ表示部３の発光パターンとアクセス内容の対応関係に関する知識がなくても、リーダ／ライタ装置１６によるアクセスの内容を認識することができる。
【００２９】
また、上記応答生成処理では、ＣＰＵ８は、着信通知を示す発光パターンとは異なる発光パターンで発光するようにＬＥＤ表示部３を制御することが望ましい。このような処理によれば、ユーザが、ＬＥＤ表示部３の発光が携帯電話機１の電話機能に起因するものと誤解することを防止することができる。
【００３０】
さらに、上記応答生成処理では、ＣＰＵ８は、メモリ７内に予め記憶されたＩＣカードアクセス表示プログラム１５によって規定された発光パターンでＬＥＤ表示部３を発光制御したが、サービス提供者が供給するＪａｖａ（登録商標）等のプログラミング言語で記述されたコンピュータプログラムを電気通信回線を介してダウンロードし、ダウンロードしたコンピュータプログラムに従って、サービス毎に固有のパターンでＬＥＤ表示部３を発光制御してもよい。これにより、ユーザは、ＬＥＤ表示部３の発光パターンを参照して、サービス種別を認識することができる。
【００３１】
また、上記応答生成処理では、ＣＰＵ８は、ＬＥＤ表示部３を発光制御することによりアクセス要求された情報の属性をユーザに認識させたが、ＬＣＤ表示部２による情報表示，バイブレータ４による振動，スピーカ６による音声出力を利用してアクセス要求された情報の属性をユーザに認識させるようにしてもよい。これにより、より多くの情報をユーザに認識させることが可能となる。
【００３２】
〔実施の形態の効果〕
以上の説明から明らかなように、本発明の一実施形態となる携帯電話機１によれば、ＣＰＵ８が、ＩＣカードアクセス表示プログラム１５に従って、ＩＣカード部１０の記憶部２５内に記憶されている情報に対するリーダ／ライタ装置１６からのアクセス要求に応じて、アクセス要求された情報の属性（ＡＴＴＲ）に応じたパターンでＬＥＤ表示部３を発光制御するので、ユーザは、ＬＥＤ表示部３の発光パターンを参照して、アクセス内容を認識することができる。
【００３３】
また、本発明の一実施形態となる携帯電話機１によれば、アクセス要求された情報の属性が機密情報である時にＬＥＤ表示部３を発光制御するので、ユーザは、機密情報に対する不正アクセスがあった場合でも、不正アクセスを即座に認識することができる。
【００３４】
〔その他の実施形態〕
以上、本発明者らによってなされた発明を適用した実施の形態について説明したが、この実施の形態による本発明の開示の一部をなす論述及び図面により本発明は限定されることはない。例えば、上記実施形態は、本発明を携帯電話機に適用したものであるが、本発明は、ＰＤＡ（Ｐｅｒｓｏｎａｌ  Ｄｉｇｉｔａｌ  Ａｓｓｉｓｔａｎｔ）機器、パーソナルコンピュータ機器、ラジオ機器を含む、携帯機器全般に適用することができる。このように、この実施の形態に基づいて当業者等によりなされる他の実施の形態、実施例及び運用技術等は全て本発明の範疇に含まれることは勿論であることを付け加えておく。
【００３５】
【発明の効果】
本発明によれば、ユーザは非接触型ＩＣカード部に対するアクセスの内容を認識することができる。
【図面の簡単な説明】
【図１】本発明の一実施形態となる携帯電話機の内部構成を示すブロック図である。
【図２】図１に示す記憶部の構成を示す模式図である。
【図３】図１に示す携帯電話機にリーダ／ライタ装置がアクセスした際の携帯電話機の動作を示すフローチャート図である。
【符号の説明】
１…携帯電話機、２…ＬＣＤ表示部、３…ＬＥＤ表示部、４…バイブレータ、５…操作入力部、６…スピーカ、７…メモリ、８…ＣＰＵ、９…ＩＣカードインタフェイス部、１０…ＩＣカード部、１１…通信処理部、１２…オペレーションシステム（ＯＳ）プログラム、１３…ＩＣカードドライバ、１４…Ｊａｖａ（登録商標）仮想マシン（ＶＭ）、１５…ＩＣカードアクセス表示プログラム、１６…リーダ／ライタ装置、２１，３５…アンテナ、２２…整流部、２３，３４…復調部、２４，３２…制御部、２５…記憶部、２６，３３…変調部、３１…発振器
【図１】
2004341691.tif 000003
【図２】
2004341691.tif 000004
【図３】
2004341691.tif 000005